(57)【要約】【課題】  コンパクトな導通検査装置を提供する。【解決手段】  導通検査を行うコネクタ１１を支持部２０に固定し、着脱部４０のトグル装置４１を構成する直交関節４４を一方へ移動させることにより摺動関節４６をコネクタ装着方向へ移動させて導通検出部３０をコネクタ１１に接続する。導通検査を行った後、コネクタ１１を導通検出部３０から離脱させる際には、着脱部４０の直交関節４４を開放手段４８で直交方向の他方へ移動させることにより摺動関節４６を反装着方向へ移動させて、コネクタ１１を開放する。従って、トグル装置４１における直交関節４４を直接移動させることにより摺動関節４６を移動させてコネクタ１１を開放するので、開放手段４８のストロークを短くすることができ、装置のコンパクト化を図ることができる。【選択図】  図１
2005241409.tif 000002
【特許請求の範囲】
【請求項１】
ワイヤハーネスの端部に装着したコネクタを固定して支持する支持部と、前記支持部に固定された前記コネクタの各端子と電気的に接続して導通検査を行う導通検出部と、前記導通検出部を前記コネクタに対して着脱する着脱部とを備えた導通検査装置であって、
前記着脱部が、ベースに回転自在に固定された固定関節と、前記コネクタの装着方向に移動可能な摺動関節と、前記コネクタの装着方向に直交する方向に移動可能な直交関節とを有し、前記直交関節を一方へ移動させることにより前記摺動関節を装着方向へ移動させて前記導通検出部を前記コネクタと接続するトグル装置を備え、
前記直交関節を他方へ移動させることにより前記摺動関節を反装着方向へ移動させて前記コネクタを前記導通検出部から離脱させる開放手段を設けたことを特徴とする導通検査装置。
【請求項２】
前記開放手段が、エアシリンダにより前記直交関節を前記他方へ押すものであることを特徴とする請求項１に記載した導通検査装置。
【発明の詳細な説明】
【技術分野】
【０００１】
本発明は導通検査装置に係り、例えば端部にコネクタが取付けられたワイヤハーネスの導通検査を行うための導通検査装置に関する。
【背景技術】
【０００２】
従来より、端部にコネクタを装着したワイヤハーネスの導通を検査する導通検査装置等が知られている（例えば特許文献１参照）。
図３および図４に示すように、この導通検査装置１００は、傾斜した検査台１０１の上に取付けられた複数台の導通検査治具１０２と、この導通検査治具１０２を同時に作動させる自動開放装置１０３と、コネクタ１０４の端子の導通結果を表示する表示部１０５と、導通検査治具１０２を作動させてコネクタ１０４の端子の導通検査を行うとともにこの検査結果に基づいて表示部１０５を表示させる制御装置１０６とを有している。
【０００３】
導通検査治具１０２は、導通検査を行うコネクタ１０４を支持する支持部１０７と、コネクタ１０４の端子に電気的に接続される導通検出部１０８と、支持部１０７に導通検出部１０８を接離させるための操作機構部１０９からなっている。操作機構部１０９のレバー１０９ａの先端部には、レバー１０９ａを回転させるためのワイヤー１１１が取付けられており、自動開放装置１０３によって引くことができるようになっている。
従って、各導通検査治具１０２の支持部１０７に接してコネクタ１０４を載置し、操作機構部１０９のレバー１０９ａを図４中反時計回りに回転させて導通検出部１０８をコネクタ１０４に押し付けて電気的に接続する。この状態で導通検査を行い、表示板１０５に検査結果が表示される。
【特許文献１】特開平５−２６９３９号公報（図１）
【発明の開示】
【発明が解決しようとする課題】
【０００４】
ところで、導通検査が完了して、コネクタ１０４を取り出す際には、自動開放装置１０３がワイヤー１１１を引いてレバー１０９ａを回転させ、導通検出部１０８をコネクタ１０４から離脱させる。このため、レバー１０９ａのストロークに対応した長さのワイヤー１１１を引く装置が必要となり、装置の大型化を招くという不都合があった。また、異なるコネクタを検査するため導通検査治具１０２を交換する際に、ワイヤー１１１の取り回しも変更する必要があり、煩わしかった。
【０００５】
本発明は、前述した問題点に鑑みてなされたものであり、その目的はコンパクトな導通検査装置を提供することにある。
【課題を解決するための手段】
【０００６】
１）前述した目的を達成するために、本発明にかかる導通検査装置は、ワイヤハーネスの端部に装着したコネクタを固定して支持する支持部と、前記支持部に固定された前記コネクタの各端子と電気的に接続して導通検査を行う導通検出部と、前記導通検出部を前記コネクタに対して着脱する着脱部とを備えた導通検査装置であって、前記着脱部が、ベースに回転自在に固定された固定関節と、前記コネクタの装着方向に移動可能な摺動関節と、前記コネクタの装着方向に直交する方向に移動可能な直交関節とを有し、前記直交関節を一方へ移動させることにより前記摺動関節を装着方向へ移動させて前記導通検出部を前記コネクタと接続するトグル装置を備え、前記直交関節を他方へ移動させることにより前記摺動関節を反装着方向へ移動させて前記コネクタを前記導通検出部から離脱させる開放手段を設けたことを特徴としている。
【０００７】
このように構成された導通検査装置においては、導通検査を行うコネクタを支持部に固定し、着脱部のトグル装置を構成する直交関節を一方へ移動させることにより摺動関節をコネクタ装着方向へ移動させて導通検出部をコネクタに接続する。導通検査を行った後、コネクタを導通検出部から離脱させる際には、着脱部の直交関節を開放手段で直交方向の他方へ移動させることにより摺動関節を反装着方向へ移動させて、コネクタを開放する。  従って、トグル装置における直交関節を直接移動させることにより摺動関節を移動させて開放するので、開放手段のストロークを短くすることができ、装置のコンパクト化を図ることができる。
【０００８】
２）また、本発明にかかる導通検査装置は、前記開放手段が、エアシリンダにより前記直交関節を押すものであることを特徴とする請求項１に記載した導通検査装置。
【０００９】
このように構成された導通検査装置においては、エアシリンダにより着脱部のトグル装置を構成する直交関節を移動させるので、装置のコンパクト化を図ることができる。また、従来のようにワイヤーを用いないので、検査するコネクタに対応して導通検査装置を交換する際に、容易に交換できる。
【発明の効果】
【００１０】
本発明によれば、従来のようなワイヤーのストロークを確保するために装置が大型化するという問題を解消でき、これにより導通検査装置のコンパクト化を図ることができるという効果が得られる。
【発明を実施するための最良の形態】
【００１１】
以下、本発明に係る実施形態を図面に基づいて詳細に説明する。図１は導通検査時における本発明の導通検査装置に係る実施形態を示す正面図、図２はコネクタを開放したときの導通検査装置を示す側面図である。
【００１２】
図１および図２に示すように、本発明の実施形態である導通検査装置１０は、端部にコネクタ１１を装着したワイヤハーネスＷ／Ｈの導通検査を行うものであり、コネクタ１１を固定して支持する支持部２０と、支持部２０に固定されたコネクタ１１の各端子１１ａと電気的に接続して導通検査を行う導通検出部３０と、導通検出部３０をコネクタ１１に対して接近、離反することによりコネクタ１１と導通検出部３０の着脱を行う着脱部４０を備えている。
【００１３】
支持部２０は、基台１２に取付けられているベース１３の一端（図１および図２において左端）に固定されており、コネクタ１１を収納する収納部２１が設けられている。従って、コネクタ１１は収納部２１に収納されることにより固定され、前後方向（図１中左右方向）に移動しないようになっている。
【００１４】
着脱部４０は、ベース１３の他端側に設けられているトグル装置４１を有している。このトグル装置４１は、ベース１３に立設されたブラケット１４にレバー４２を回転自在に支持する固定関節４３を有している。
また、レバー４２の基端部を第１の連結板４２ａとして固定関節４３と連結され、コネクタ１１の装着方向（図１および図２において左方向）に直交する方向（図１および図２において上下方向）に移動する直交関節４４を有している。さらに、直交関節４４と第２の連結板４５によって連結され、ブラケット１４の上端に設けられているガイド部１５に沿って装着方向に往復移動可能な摺動関節４６を有している。摺動関節４６は、第３の連結板４７によって導通検出部３０と連結されている。
なお、直交関節４４の下方には、開放手段として例えばエアシリンダ４８が設けられており、ロッド４８ａの上昇により直交関節４４を直接上方へ押し上げることができるようになっている。
【００１５】
導通検出部３０にはコネクタ１１の端子１１ａと相互に係合する端子３０ａが設けられている。この導通検出部３０は、ガイド部１５に沿って支持部２０に接近・離反可能に支持されており、スプリング２１によって支持部２０と連結され、スプリング２１の反発力により常時支持部２０から離れる方向へ付勢されている。
これにより、摺動関節４６は図１中右方向へ押されるが、直交関節４４が固定関節４３と摺動関節４６とを結ぶ直線よりも下側にあるため直交関節４４をさらに下降させる力が作用する。このとき、第２の連結板４５の直交関節４４側端部がブラケット１４のガイド部１５によって下方への移動が阻止されているので、直交関節４４は下方へ移動できない。このため、摺動関節４６は図１に示した装着状態で停止することになる。
【００１６】
従って、導通検出部３０を装着方向へ移動させて支持部２０に収納されているコネクタ１１に接続する際には、図１に示すように、固定関節４３を中心としてレバー４２を矢印Ａ方向へ回転させる。
これにより、第１の連結板４２ａで連結された直交関節４４が下降して、第２の連結板４５を介して摺動関節４６を装着方向へ移動させ、第３の連結板４７を介して導通検出部３０を支持部２０に接近させて、端子３０ａとコネクタ１１の端子１１ａとを接続する。
【００１７】
一方、コネクタ１１を開放する際には、エアシリンダ４８のロッド４８ａを上昇させて直交関節４４を押し上げる。このとき、直交関節４４には連結板４５、４７等を介してスプリング２２により右方向への押圧力が付勢されているため、直交関節４４を固定関節４３と摺動関節４６とを結ぶ直線よりも上方まで移動させると、右方向の押圧力により直交関節４４は上方へ跳ね上がる。
これに伴い、第１の連結板４２ａであるレバー４２は図１中矢印Ｂ方向へ回転して摺動関節４６が反装着方向へ移動し、導通検出部３０が支持部２０から離反して、コネクタ１１を開放する（図２参照）。
【００１８】
以上説明した導通検査装置１０によると、直交関節４４を僅かに上昇させるだけでコネクタ１１を開放できるので、装置のコンパクト化を図ることができる。
また、直交関節４４の移動をエアシリンダ４８により行うので、コネクタ１１の形状やサイズ等に対応させて導通検査装置１０を交換する際に、従来のワイヤーを用いた場合のようにワイヤーを取り回す煩わしさがなく、容易に交換できる。
【００１９】
なお、本発明の導通検査装置は、前述した実施形態に限定されるものでなく、適宜な変形，改良等が可能である。
例えば、前述した実施形態においては、基台１２に設けた一台の導通検査装置１０について説明したが、基台１２に複数台の導通検査装置１０を設けても良い。この場合には、各導通検査装置１０のエアシリンダ４８を同時に作動させるようにすると、各導通検査装置１０に装着されているコネクタ１１を同時に開放できる。
【図面の簡単な説明】
【００２０】
【図１】導通検査時における本発明に係る実施形態を示す正面図である。
【図２】コネクタを開放したときの導通検査装置を示す側面図である。
【図３】従来の導通検査装置を示す斜視図である。
【図４】従来の導通検査装置を示す側面図である。
【符号の説明】
【００２１】
１０  導通検査装置
１１  コネクタ
１３  ベース
２０  支持部
３０  導通検出部
４０  着脱部
４１  トグル装置
４３  固定関節
４４  直交関節
４６  摺動関節
４８  エアシリンダ（開放手段）
Ｗ／Ｈ  ワイヤハーネス
【図１】
2005241409.tif 000003
【図２】
2005241409.tif 000004
【図３】
2005241409.tif 000005
【図４】
2005241409.tif 000006